(57)【要約】【課題】経時的に撮影された同一被検体を表す複数の画像の各々から検出された異常陰影候補の経時的変化をより高い精度で認識して、その異常陰影候補の視認性を高めた出力を行う。【解決手段】対応づけ手段２１が、異常陰影候補Ｃ[1,i]、Ｃ[2,i]の位置情報に基づいて各候補の対応づけを行い、変化量算出手段２２が、この対応づけ結果と画像Ｐ[1]とＰ[2]の各々から検出された各候補の属性を表す複数の特徴量に基づいて算出された悪性度スコアＳ[1,i]とＳ[2,i]を入力として、異常陰影候補Ｃ[2,i]の各々の画像Ｐ[1]とＰ[2]の間での悪性度スコアＳ[2,i]の変化量△Ｓ[i]を求め、画像出力手段２３が、変化量△Ｓ[i]が所定の閾値△ＳThより大きい場合に、画像Ｐ[2]のその異常陰影候補の領域Ｃ[2,i]にマーカーを付した画像Ｐ[2]′を出力する。【選択図】        図３
2006255065.tif 000002
【特許請求の範囲】
【請求項１】
経時的に撮影された同一被検体を表す複数の画像の各々から検出された異常陰影候補の位置情報に基づいて、該複数の画像間での前記異常陰影候補の対応づけを行い、
該対応づけがなされた異常陰影候補の各々の、該異常陰影候補の属性を表す複数の特徴量に基づいて得られた該異常陰影候補の悪性度に基づいて、該悪性度の変化量を求め、
該異常陰影候補の悪性度の変化量が所定の閾値より大きい場合に、該異常陰影候補の領域を他の領域と識別可能な態様で出力することを特徴とする画像出力方法。
【請求項２】
前記異常陰影候補の悪性度の変化量が所定の閾値より大きく、かつ、該悪性度が高くなる方向に経時的に変化している場合に、該異常陰影候補の領域を他の領域と識別可能な態様で出力することを特徴とする請求項１記載の画像出力方法。
【請求項３】
前記異常陰影候補の悪性度の変化量が所定の閾値より大きく、かつ、前記対応づけがなされた異常陰影候補のうち、経時的に後に撮影された画像中の異常陰影候補の悪性度が所定の閾値よりも高い場合に、該異常陰影候補の領域を他の領域と識別可能な態様で出力することを特徴とする請求項１または２記載の画像出力方法。
【請求項４】
前記複数の特徴量が、異常陰影候補の大きさ、濃度、形状のうちの少なくとも２つを表すものであることを特徴とする第１項から第３項のいずれか１項に記載の画像出力方法。
【請求項５】
経時的に撮影された同一被検体を表す複数の画像の各々から検出された異常陰影候補の位置情報に基づいて、該複数の画像間での前記異常陰影候補の対応づけを行う対応づけ手段と、
該対応づけがなされた異常陰影候補の各々の、該異常陰影候補の属性を表す複数の特徴量に基づいて得られた該異常陰影候補の悪性度に基づいて、該悪性度の変化量を求める変化量算出手段と、
該異常陰影候補の悪性度の変化量が所定の閾値より大きい場合に、該異常陰影候補の領域を他の領域と識別可能な態様で出力する画像出力手段とを備えたことを特徴とする画像出力装置。
【請求項６】
前記画像出力手段が、前記異常陰影候補の悪性度の変化量が所定の閾値より大きく、かつ、該悪性度が高くなる方向に経時的に変化している場合に、該異常陰影候補の領域を他の領域と識別可能な態様で出力することを特徴とする請求項５記載の画像出力装置。
【請求項７】
前記画像出力手段が、前記異常陰影候補の悪性度の変化量が所定の閾値より大きく、かつ、前記対応づけがなされた異常陰影候補のうち、経時的に後に撮影された画像中の異常陰影候補の悪性度が所定の閾値よりも高い場合に、該異常陰影候補の領域を他の領域と識別可能な態様で出力するものであることを特徴とする請求項５または６記載の画像出力装置。
【請求項８】
前記複数の特徴量が、異常陰影候補の大きさ、濃度、形状のうちの少なくとも２つを表すものであることを特徴とする第５項から第７項のいずれか１項に記載の画像出力装置。
【請求項９】
コンピュータを、
経時的に撮影された同一被検体を表す複数の画像の各々から検出された異常陰影候補の位置情報に基づいて、該複数の画像間での前記異常陰影候補の対応づけを行う対応づけ手段と、
該対応づけがなされた異常陰影候補の各々の、該異常陰影候補の属性を表す複数の特徴量に基づいて得られた該異常陰影候補の悪性度に基づいて、該悪性度の変化量を求める変化量算出手段と、
該異常陰影候補の悪性度の変化量が所定の閾値より大きい場合に、該異常陰影候補の領域を他の領域と識別可能な態様で出力させる出力制御手段として機能させることを特徴とする画像出力プログラム。
【請求項１０】
前記コンピュータを、
前記出力制御手段が、前記異常陰影候補の悪性度の変化量が所定の閾値より大きく、かつ、該悪性度が高くなる方向に経時的に変化している場合に、該異常陰影候補の領域を他の領域と識別可能な態様で出力させるように機能させることを特徴とする請求項９記載の画像出力プログラム。
【請求項１１】
前記コンピュータを、
前記出力制御手段が、前記異常陰影候補の悪性度の変化量が所定の閾値より大きく、かつ、前記対応づけがなされた異常陰影候補のうち、経時的に後に撮影された画像中の異常陰影候補の悪性度が所定の閾値よりも高い場合に、該異常陰影候補の領域を他の領域と識別可能な態様で出力させるように機能させることを特徴とする請求項９または１０記載の画像出力プログラム。
【請求項１２】
前記複数の特徴量が、異常陰影候補の大きさ、濃度、形状のうちの少なくとも２つを表すものであることを特徴とする第９項から第１１項のいずれか１項に記載の画像出力プログラム。
【発明の詳細な説明】
【技術分野】
【０００１】
本発明は、画像出力方法および装置ならびにプログラムに関し、より詳細には、経時的に撮影された同一被検体を表す複数の画像の各々から検出された異常陰影候補の情報に基づいて、これらの画像から検出された異常陰影候補を画像出力する方法および装置、ならびに、コンピュータにこの方法を行わせるプログラムに関するものである。
【背景技術】
【０００２】
医療分野においては、医用画像中の異常陰影候補を自動的に検出し、検出された異常陰影候補の視認性を高めた出力を行うコンピュータ支援画像診断システム（CAD: Computer Aided Diagnosis）が知られており、医師等の読影者は、このＣＡＤシステムによって検出された異常陰影候補を含む画像を読影し、画像中の異常陰影候補が腫瘤や石灰化等の病変を表す異常陰影であるかどうかを最終的に判断する。
【０００３】
ところで、被検体における病変は経時的に変化するものであり、ＣＡＤシステムにおいても、この変化を容易に観察できるように画像の出力を行うことができれば、診断効率や診断精度の向上に有効である。
【０００４】
このような背景において、本出願人は、経時的に撮影された同一被写体の複数の放射線画像の各々から異常陰影候補を検出し、これら複数の画像中の対応する位置に異常陰影候補が存在するか否かを自動認識するとともに、異常陰影候補がこれら複数の画像中の対応する位置に存在する場合には、その異常陰影候補の大きさの変化の有無を自動認識し、これら複数の画像データのいずれかに基づく再生画像と共に、画像中の異常陰影候補の大きさの経時的変化の有無を表す情報を出力する方法を提案している（例えば、特許文献１）。
【特許文献１】特開平４−１２９５３８号公報
【発明の開示】
【発明が解決しようとする課題】
【０００５】
上記文献記載の方法では、異常陰影候補の大きさの変化のみに着目しているが、病変を表す異常陰影の変化としては、濃度や形状等の変化も同様に重要である。したがって、大きさに変化がなく、濃度や形状が変化している異常陰影候補は、病状が進行している可能性があり、読影者に注意を促すべきであるにもかかわらず、上記文献記載の方法では、このような異常陰影候補に対しては「異常陰影候補に変化なし」という情報を出力することになり、読影者は、従来どおり、自らこのような異常陰影候補に注意を払う必要があった。
【０００６】
本発明は、上記事情に鑑みてなされたものであり、経時的に撮影された同一被検体を表す複数の画像の各々から検出された異常陰影候補の経時的変化をより高い精度で認識して、その異常陰影候補の視認性を高めた出力を行う方法および装置ならびにプログラムを提供することを目的とするものである。
【課題を解決するための手段】
【０００７】
本発明による画像出力方法は、経時的に撮影された同一被検体を表す複数の画像の各々から検出された異常陰影候補の位置情報に基づいて、それら複数の画像間での異常陰影候補の対応づけを行い、対応づけがなされた異常陰影候補の各々に基づいて、悪性度の変化量を求め、求められた異常陰影候補の悪性度の変化量が所定の閾値より大きい場合に、その異常陰影候補の領域を他の領域と識別可能な態様で出力することを特徴とするものである。
【０００８】
また、本発明による画像出力装置は、この方法を実現するものである。すなわち、経時的に撮影された同一被検体を表す複数の画像の各々から検出された異常陰影候補の位置情報に基づいて、それら複数の画像間での異常陰影候補の対応づけを行う対応づけ手段と、対応づけがなされた異常陰影候補の各々の悪性度に基づいて、悪性度の変化量を求める変化量算出手段と、求められた異常陰影候補の悪性度の変化量が所定の閾値より大きい場合に、その異常陰影候補の領域を他の領域と識別可能な態様で出力する画像出力手段とを設けたことを特徴とするものである。
【０００９】
さらに、本発明による画像出力プログラムは、コンピュータに上記の方法を行わせる（上記の各手段として機能させる）ものである。すなわち、コンピュータを、経時的に撮影された同一被検体を表す複数の画像の各々から検出された異常陰影候補の位置情報に基づいて、それら複数の画像間での異常陰影候補の対応づけを行う対応づけ手段と、対応づけがなされた異常陰影候補の各々の悪性度に基づいて、悪性度の変化量を求める変化量算出手段と、求められた異常陰影候補の悪性度の変化量が所定の閾値より大きい場合に、その異常陰影候補の領域を他の領域と識別可能な態様で出力させる出力制御手段として機能させることを特徴とするものである。
【００１０】
ここで、「複数の画像間での異常陰影候補の対応づけ」とは、複数の画像中でほぼ同じ位置にある異常陰影候補は、同じ陰影が経時的に変化したものと判断することを意味する。その際には、異常陰影候補の位置が複数の画像間で厳密に一致していなくても、ある程度の許容範囲内に収まっていれば対応づけを行うようにすることが好ましい。これは、被検体の姿勢等が複数の画像の撮影時において完全に同じであるとは限らないため、異常陰影候補の位置も画像間でずれてしまう可能性が高いからである。
【００１１】
「異常陰影候補の複数の属性」の具体例としては、異常陰影候補の大きさ、濃度（輝度）、形状等が考えられるが、「異常陰影候補の属性を表す複数の特徴量」は、これらのうちの少なくとも２つを表すものであることが好ましい。
【００１２】
「悪性度」とは、異常陰影候補の属性を表す複数の特徴量に基づいて得られた異常陰影候補の悪性の度合を意味する。すなわち、その異常陰影候補の様々な属性を表す複数の特徴量を総合的に評価することによって得られる、その異常陰影候補の悪性の度合を示す２次的特徴量である。ここで、「総合的に評価する」方法の具体例としては、複数の特徴量を入力とする評価関数に基づいて悪性度を示すスコアを求めることが考えられる。さらに、臨床データ等に基づいてその異常陰影候補の様々な属性を表す複数の特徴量の重みづけを行ったうえで、重みづけられた複数の特徴量を評価関数に入力して、悪性度を示すスコアを求めるようにすることも考えられる。
【００１３】
なお、病変が新たに生じた場合や、治癒により病変が消滅した場合、複数の画像の一方には、対応する異常陰影候補が存在しないことになるが、異常陰影候補が存在しない方の画像中のその異常陰影候補の領域に対応する領域については、悪性度が0と考えて、悪性度の変化量を求めればよい。
【００１４】
「異常陰影候補の領域を他の領域と識別可能な態様で出力する」ための条件は、「異常陰影候補の悪性度の変化量が所定の閾値より大きい」ことだけでなく、さらに、その異常陰影候補の悪性度が高くなる方向に経時的に変化していることや、対応づけがなされた異常陰影候補のうち、経時的に後に撮影された画像中の異常陰影候補の悪性度が所定の閾値よりも高いことも条件としてよい。
【００１５】
また、「異常陰影候補の領域を他の領域と識別可能な態様で出力する」際には、複数の画像のうちの読影対象の画像や、複数の画像に対して経時サブトラクション処理（特開2001-157675号公報等参照）を行うことによって得られる複数の画像間の差分を表す画像（経時サブトラクション画像）とともに出力してもよい。出力の具体例としては、読影対象の画像や経時サブトラクション画像中にその異常陰影候補の領域を指示する矢印等のマーカーを付して出力することや、これらの画像中のその異常陰影候補の領域の色を変えて出力することが考えられる。
【発明の効果】
【００１６】
本発明の画像出力方法および装置ならびにプログラムによれば、経時的に撮影された同一被検体を表す複数の画像間での異常陰影候補の対応づけを行い、対応づけがなされた異常陰影候補の各々の間での悪性度の変化量が所定の閾値より大きい場合に、その異常陰影候補の領域を他の領域と識別可能な態様で出力する。ここで、悪性度は、異常陰影候補の属性を表す複数の特徴量に基づいて得られたものであるから、異常陰影候補の大きさの変化だけでなく、様々な属性を表す複数の特徴量を総合的に評価することによって得られる２次的特徴量としての悪性度の顕著な変化があった異常陰影候補について、その異常陰影候補の視認性を高めた出力を行うことができる。したがって、異常陰影候補の経時的変化をより高い精度で認識して、その異常陰影候補の適切な出力を行うことが可能になり、診断効率や診断精度の向上に資する。
【００１７】
また、異常陰影候補の領域を他の領域と識別可能な態様で出力するための条件に、その異常陰影候補の悪性度が高くなる方向に経時的に変化していることという条件を追加した場合には、悪性度が顕著に変化している異常陰影候補であっても、悪性度が低くなっている、すなわち治癒に向かっているものが識別可能な態様で出力されなくなる。また、対応づけがなされた異常陰影候補のうち、経時的に後に撮影された画像中の異常陰影候補の悪性度が所定の閾値よりも高いことという条件を追加した場合には、それほど深刻な状態になっていない異常陰影候補については、識別可能な態様で出力されなくなる。したがって、読影者は、より危険度の高い異常陰影候補の観察に注意を向けることが可能になり、より重大な見落としの防止に資する。
【発明を実施するための最良の形態】
【００１８】
以下、図面を参照しつつ、本発明の実施の形態について説明する。
【００１９】
図１は、本発明の実施形態となる胸部画像診断支援システムの論理的な構成とデータの流れを示したブロック図である。図に示すように、この胸部画像診断支援システムは、経時的に撮影された同一被検者の胸部Ｘ線画像Ｐ[1]、Ｐ[2]の画像データを入力として、画像Ｐ[1]中の異常陰影候補の領域Ｃ[1,1]からＣ[1,I1]を検出し、各候補の悪性度スコアＳ[1,1]からＳ[1,I1]を算出するとともに、画像Ｐ2中の異常陰影候補領域Ｃ[2,1]からＣ[2,I2]を検出し、各候補の悪性度スコアＳ[2,1]からＳ[2,I2]を算出する異常陰影候補検出部１と、検出された異常陰影候補Ｃ[1,1]からＣ[1,I1]とＣ[2,1]からＣ[2,I2]の悪性度スコアＳ[1,1]からＳ[1,I1]とＳ[2,1]からＳ[2,I2]に基づいて、画像Ｐ[2]の中で、画像Ｐ[1]とＰ[2]の間で悪性度が顕著に変化している異常陰影候補の領域にマーカーを付した画像Ｐ[2]′を出力する画像出力部２とから構成される。ここで、[n]は、画像を識別する番号であり、値が小さいほど過去に撮影されたものとする。また、[n,i]は、画像Ｐ[n]のｉ番目の異常陰影候補を表す。I1は画像Ｐ[1]から検出された異常陰影候補の数、I2は画像Ｐ[2]から検出された異常陰影候補の数を表す。なお、以下では、画像とその画像を表す画像データとを同じ符号で表す。
【００２０】
この胸部画像診断支援システムは、診断用ワークステーション（コンピュータ）に実装されており、異常陰影候補検出部１と画像出力部２の各機能は、ＣＤ−ＲＯＭ等の記憶媒体からこのワークステーションにインストールされたプログラムが実行されることによって、このワークステーションのＣＰＵ、主記憶装置、外部記憶装置、入出力インターフェース、オペレーティングシステム等と連携して実現される。
【００２１】
図２は異常陰影候補検出部１の概略構成を示す図である。図に示すように、異常陰影候補検出部１は、胸部Ｘ線画像データＰ[n]（ｎ＝1,2）に基づいて胸部Ｘ線画像Ｐ[n]中の異常陰影（腫瘤影）の候補領域Ｃ[n,i]を抽出する候補抽出手段１１と、画像データＰ[n]に基づいて各候補領域Ｃ[n,1]，Ｃ[n,2]，・・・毎の属性を表す複数の特徴量Ａj[n,i]（ｊは特徴量の項目を識別する番号）を算出する特徴量算出手段１２と、画像データＰ[n]に基づいて、胸部Ｘ線画像Ｐ[n]における胸部の解剖学的情報AI[n]を取得して、当該胸部の解剖学的構造を求める解剖学的情報取得手段１３と、胸部Ｘ線画像Ｐ[n]中の異常陰影候補を検出すべき領域である肺野内の各位置に対応する位置に、前記各位置の解剖学的構造との相対的位置関係に応じた、上記特徴量Ａj[n,i]を重み付けするための重み付け係数αk[n,x,y]（ｋは特徴量のグループまたは項目を識別する番号、ｘ、ｙは画像中の座標）を配置してなる重み付け係数マップＭk[n]を作成する重み付け係数マップ作成手段１４と、候補領域Ｃ[n,i]に対応する重み付け係数マップＭk[n]上の位置における重み付け係数αk[n,x,y]を用いて、各候補領域Ｃ[n,i]毎の複数の特徴量Ａj[n,i]を重み付けする重み付け演算手段１５と、重み付けされた特徴量Ａj′[n,i]に基づいて候補領域Ｃ[n,i]の悪性度スコアＳ[n,i]を算出する悪性度算出手段１６とを備えている。
【００２２】
図３は、画像出力部２の概略構成を示す図である。図に示すように、異常陰影候補検出部１において検出された異常陰影候補領域Ｃ[1,i]、Ｃ[2,i]の位置情報に基づき、画像Ｐ[1]とＰ[2]の間での異常陰影候補の対応づけを行う対応づけ手段２１と、対応づけがなされた異常陰影候補Ｃ[1,i]とＣ[2,i]の各々の悪性度スコアＳ[1,i]とＳ[2,i]に基づいて、画像Ｐ[1]とＰ[2]の間での異常陰影候補の悪性度スコアＳ[2,i]の変化量△Ｓ[i]を求める変化量算出手段２２と、算出された各異常陰影候補の悪性度の変化量△Ｓ[i]が所定の閾値より大きい場合に、その異常陰影候補の領域Ｃ[2,i]にマーカーを付した画像Ｐ[2]′を出力する画像出力手段２３とを備えている。
【００２３】
次に、上記のように構成された胸部画像診断支援システムで行われる処理の流れについて説明する。
【００２４】
図４は異常陰影候補検出部１における処理フローを示した図である。
【００２５】
まず、異常陰影候補検出部１に、図５に示すような、肺野部Ｌを含む胸部Ｘ線画像Ｐ[1]を表す画像データＰ[1]が入力され、この画像データＰ[1]は、候補抽出手段１１と解剖学的情報取得手段１３とに入力される（ステップ#１）。ここで画像データＰ[1]は、ＣＲ（Computed Radiography）システム等によって取得された画像データである。
【００２６】
候補抽出手段１１は、入力された画像データＰ[1]に基づいて、胸部Ｘ線画像Ｐ[1]中の腫瘤影の候補領域Ｃ[1,i]を、アイリスフィルタ処理等を用いた手法により抽出する（ステップ#２）。アイリスフィルタ処理を用いた手法は、特開２００２−１０９５１０号公報に開示されている、画像中の濃度勾配（または輝度勾配）を濃度勾配ベクトルとして表し、この濃度勾配ベクトルの集中度の高い画像中の領域を異常陰影候補として抽出する手法である。
【００２７】
特徴量算出手段１２は、画像データＰ[1]のうち、抽出された候補Ｃ[1,i]の領域やその近傍領域に対応した画像、いわゆるＲＯＩ画像を表す画像データに基づいて、候補領域Ｃ[1,i]における複数の特徴量Ａj[1,i]を算出する（ステップ#３）。各特徴量としては、「特徴量選択による乳房Ｘ線像上の悪性腫瘤影判別能力の改善と選択基準の評価」（電子情報通信学会論文誌Ｄ−IIＶｏｌ８６−ＤIIＮｏ５，ｐｐ５８７−５９７）に記載されているような、各候補の、輝度、面積、エッジ、形状（円形度等）等に関するものを用い、より具体的には、輝度に関するものとしては、ＱＬ値（画素信号値）の平均、分散、二次モーメント、面積に関するものとしては、候補に対して動的輪郭モデル等の領域分割処理で囲まれた面積、エッジに関するものとしては、領域分割処理によって得られる点に対して同時生起行列から算出される特徴量、形状に関するものとしては、領域分割処理によって囲まれた図形のSpreadnessや扇平度等を採用する。
【００２８】
一方、解剖学的情報取得手段１３は、入力された画像データＰ[1]に基づいて、胸部Ｘ線画像Ｐ[1]上の肺野部Ｌを抽出し、胸部Ｘ線画像Ｐ[1]のプロファイルの形状（例えば肺野部Ｌの輪郭形状や縦隔等）から、肺野部Ｌ内を、さらに肺野辺縁上部Ｌａ、肺野辺縁下部Ｌｂ、肺門部Ｌｃ、肺尖部Ｌｄ、肺野中央部Ｌｅに区分して抽出し、肺野部Ｌと肺野部Ｌ内の各部の位置情報を解剖学的情報AI[1]として取得する（ステップ#４）。肺野部Ｌを抽出する手法としては、例えば、特許３４３３９２８号（デジタル胸部画像のリブケイジ境界検出方法及びデジタル胸部画像診断装置に関する）公報に記載されている、デジタル胸部画像からランドマーカー情報を検出し、当該ランドマーカー情報からリブケイジ境界を検出する手法を用いることができ、また、肺野部Ｌ内を各部に区分して抽出する手法としては、例えば、米国特許第６５４９６４６号明細書に記載されている、縦隔付近等についてはニューラルネットを用い、その他の部分については例えばｅｒｏｓｉｏｎ処理等を用いて領域を分割する等の手法を用いることができる。図６は、このようにして抽出された肺野辺縁上部Ｌａ、肺野辺縁下部Ｌｂ、肺門部Ｌｃ、肺尖部Ｌｄ、肺野中央部Ｌｅを表した図である。
【００２９】
解剖学的情報AI[1]が取得されると、重み付け係数マップ作成手段１４は、胸部Ｘ腺画像Ｐ[1]における肺野部Ｌ内の各位置に対応する位置に、当該各位置の解剖学的構造との相対的位置関係、すなわち、解剖学的情報AI[n]によって特定される肺野部Ｌ内の各構造物を表す各部との相対的位置に応じて、その位置における解剖学的特徴に起因した各特徴量の信頼度が反映されるように、特徴量の種類（グループ）別もしくは項目別に、重み付け係数αk[1,x,y]を設定・配置してなる重み付け係数マップＭk[1]を作成する（ステップ#５）。ここで、ｋは特徴量のグループもしくは項目を識別する番号であり、１つの特徴量のグループに複数の特徴量の項目を定義することができる。この場合、特定のｋの値に対して複数のｊの値が対応する。なお、特徴量の項目のグループ化を行わなければｋの値とｊの値は一致する。また、重み付け係数の設定方法については種々考えられるが、骨の形状や心臓といった解剖学的構造により存在する、解剖学的位置毎に異なる画像上の性質、すなわち、辺縁部や肺尖部に多く存在する骨の重なりや、心臓付近の肺門部に多く存在する画像上小さな円形を呈した血管等の存在を考慮し、それらと腫瘤とを判別するために各部位毎に有用な特徴量を考慮して、例えば、表１に示すように、肺野Ｌ内の各部の領域毎に、また、特徴量の種類に応じて、重み付け係数の値を設定することができる。
【表１】
2006255065.tif 000003
【００３０】
表１に示した重み付け係数の各値の幅（範囲）は、肺野部Ｌ内の各部における、重み付け係数の変化幅を意味し、例えば、肺野の辺縁上部Ｌａでは、輝度に関する特徴量の重みを肺野の中心（脊椎側）から外側（体側側）に向かってなだらかに下げてゆく、すなわち、肺野の中央付近で１．０、外側に離れるにしたがって０．８に近い値をとるように設定する。
【００３１】
図７は、このようにして作成された、輝度（ここではｋ＝k1とする）に関する特徴量に対する重み付け係数マップＭk1[1]をイメージした概念図であり、重み付け係数マップＭk1[1]上に記された各値は、その値が記された位置における重み付け係数αk1[1,x,y]の値を表し、重み付け係数の値が大きいほど画像の濃度が高く（黒く）なるように表現したものである。
【００３２】
特徴量算出手段１２により各候補Ｃ[1,i]における複数の特徴量Ａj[1,i]が算出され、重み付け係数マップ作成手段１４により重み付け係数マップＭk[1]が作成されると、重み付け演算手段１５が、重み付け係数マップＭk[1]に基づいて、各候補Ｃ[1,i]に対応する重み付け係数αk[1,x,y]を取得し、取得した重み付け係数αk[1,x,y]を用いて特徴量Ａj[1,i]を重み付けする（ステップ#６）。候補Ｃ[1,i]に対応する重み付け係数αk[1,x,y]の取得方法としては、例えば、候補Ｃ[1,i]の中心位置を示す座標（ｘi，ｙi）に対応する重み付け係数αk[1,xi,yi]を、各重み付け係数マップＭk[1]から読み出して取得する方法や、候補Ｃ[1,i]が占める領域内の各位置を示す座標にそれぞれ対応する重み付け係数αk[1,x,y]を、各重み付け係数マップＭkから読み出し、特徴量の項目毎に平均をとって、それら平均を候補Ｃ[1,i]に対応する重み付け係数αk[1,x,y]として取得する方法等が考えられる。また、重み付けの方法としては、例えば、最も単純な方法として、特徴量Ａj[1,i]に係数αk[1,x,y]を掛け合わせた、αk[1,x,y]・Ａj[1,i]を重み付けされた特徴量Ａj′[1,i]とすることができる。
【００３３】
重み付け演算手段１５により重み付けされた特徴量Ａj′[1,i]が得られると、悪性度算出手段１６は、この重み付けされた特徴量Ａj′[1,i]に基づいて、候補Ｃ[1,i]毎の悪性度スコアＳ[1,i]を算出する（ステップ#７）。具体的には、悪性度スコア（指標値）Ｓ[1,i]を、重み付けされた特徴量Ａj′[1,i]を用いた次式（１）にしたがって算出する。  
Ｓ[1,i]＝ｆ（Ａj′[1,i]）      ・・・（１）
以上の異常陰影候補検出部１の処理の結果、画像Ｐ[1]を入力として異常陰影候補領域Ｃ[1,i]と候補毎の悪性度スコアＳ[1,i]が出力される（ｉ＝1,2,・・・,I1）。また、画像Ｐ[2]についても同様の処理を行い、異常陰影候補領域Ｃ[2,i]と各候補毎の悪性度スコアＳ[2,i]を得る（ｉ＝1,2,・・・,I2）。
【００３４】
次に、画像出力部２における処理について説明する。
【００３５】
まず、対応付け手段２１は、異常陰影候補検出部１において検出された異常陰影候補領域Ｃ[1,i]、Ｃ[2,i]の位置情報に基づき、画像Ｐ[1]とＰ[2]の間での異常陰影候補の対応づけを行う。具体的には、例えば、画像Ｐ[1]中の候補領域Ｃ[1,i1]の中心画素を（x1，y1）、画像Ｐ[2]中の候補領域Ｃ[2,i2]の中心画素を（x2，y2）としたときに、次式（２）（３）を満たす場合に、候補領域Ｃ[1,i1]とＣ[2,i2]を同じ異常陰影候補が経時的に変化したものとして対応づける。  
｜x2−x1｜＜△Thx      ・・・（２）
｜y2−y1｜＜△Thy      ・・・（３）
なお、陰影が何らかの理由で消滅してしまった場合には、画像Ｐ[1]中にしか存在しない候補領域となる。また、画像Ｐ[1]の撮影後に新たに生じた陰影は、画像Ｐ[2]中にしか存在しない候補領域となる。
【００３６】
次に、変化量算出手段２２は、異常陰影候補Ｃ[2,i]の画像Ｐ[1]とＰ[2]の間での異常陰影候補の悪性度スコアＳ[2,i]の変化量△Ｓ[i]を求める。具体的には、候補領域Ｃ[1,i1]とＣ[2,i2]が対応づけられているとすると、次式（４）により求める。  
△Ｓ[i2]＝Ｓ[2,i2]−Ｓ[1,i1]      ・・・（４）
ここで、画像Ｐ[2]において新たに生じた陰影（Ｃ[2,inew]とする）の取扱いが問題となるが、この場合には、画像Ｐ[1]の撮影時点では悪性度が0であったことになるから、△Ｓ[inew]＝Ｓ[2,inew]−0として悪性度スコアを算出する。
【００３７】
そして、画像出力手段２３は、異常陰影候補の悪性度スコアＳ[2,i]の変化量△Ｓ[i]が所定の閾値△ＳThより大きい場合に、画像Ｐ[2]のその異常陰影候補の領域Ｃ[2,i]にマーカーを付した画像Ｐ[2]′を出力する。図８（ｃ）は、診断用ワークステーションのディスプレイに表示される画像Ｐ[2]′の一例である。
【００３８】
以上のように、本発明の実施形態となる胸部画像診断支援システムでは、診断用ワークステーションにおいて、異常陰影候補検出部１が、経時的に撮影された同一被検体を表す複数の画像Ｐ[1]、Ｐ[2]から異常陰影候補Ｃ[1,i]、Ｃ[2,i]を検出するとともに、各候補の複数の属性を表す複数の特徴量Ａj′[1,i]、Ａj′[2,i]に基づいて、各候補の悪性度スコアＳ[1,i]、Ｓ[2,i]を算出し、画像出力部２では、対応づけ手段２１が、異常陰影候補Ｃ[1,i]、Ｃ[2,i]の位置情報に基づいて各候補の対応づけを行い、変化量算出手段２２が、異常陰影候補Ｃ[2,i]の悪性度スコアＳ[2,i]の画像Ｐ[1]とＰ[2]の間での変化量△Ｓ[i]を求め、画像出力手段２３が、変化量△Ｓ[i]が所定の閾値△ＳThより大きい場合に、画像Ｐ[2]のその変化量△Ｓ[i]を有する異常陰影候補の領域Ｃ[2,i]にマーカーを付した画像Ｐ[2]′を出力する。したがって、異常陰影候補の経時的変化を、悪性度というより精度の高い指標に基づいて、より高い精度で認識して、その異常陰影候補の適切な出力を行うことが可能になり、診断効率や診断精度の向上に資する。
【００３９】
なお、画像出力手段２３は、変化量△Ｓ[i]が所定の閾値△ＳThより大きいという条件に、悪性度スコアＳ[2,i]が所定の閾値ＳThより大きいという条件を加えて処理を行ってもよい。例えば、対応づけがなされた３つの異常陰影候補の画像Ｐ[2]、Ｐ[1]の時点における悪性度スコアＳ[n,i]が下の表２に示すようになった場合、閾値△ＳTh＝0.2、閾値ＳTh＝0.4とすると、上記の２条件の判定結果は、下の表３のようになり、最終的に、候補１と３のみマーカーが出力され、候補２はマーカーが出力されなくなる。このことを模式的に表したのが図８であり、図８（ａ）は画像Ｐ[1]、図８（ｂ）は画像Ｐ[2]から各々異常陰影候補を検出した結果を表しており、図８（ｃ）は診断用ワークステーションに実際に表示される画像Ｐ[2]′を表している。このように、異常陰影候補に対するマーカーの出力条件を、より危険度の高い異常陰影候補に対してのみマーキングが行われるように変更することにより、読影者は、危険度の低い異常陰影候補に対する注意を向けにくくなり、より重大な診断上の見落としの軽減に資する。また、画像中のノイズは悪性度スコアが低くなるように定義しておけば、画像Ｐ[2]中に生じたノイズを異常陰影候補の経時的変化と誤認して、誤ってマーキングされてしまうことも防止できる。
【表２】
2006255065.tif 000004
【表３】
2006255065.tif 000005
【００４０】
逆に、マーカーの出力条件を変化量△Ｓ[i]の絶対値が所定の閾値△ＳThより大きいという条件に変更してもよい。このようにすることにより、病状の悪化、回復にかかわらず、経時的変化が顕著な異常陰影候補に対してマーキングが行われるようになり、読影者は、より広い範囲での診断が可能になる。
【００４１】
また、上記の実施形態では、マーカーの出力条件に応じて、マーカーの出力の有無を制御していたが、マーカーの出力の仕方を制御するようにしてもよい。例えば、表３の場合、変化量△Ｓ[i]が所定の閾値△ＳTh（＝0.2）より大きいという条件のみを満たす場合には黄色のマーキング、この条件と悪性度スコアＳ[2,i]が所定の閾値ＳTh（＝0.4）より大きいという条件の両方を満たす場合には赤色のマーキングというように制御することができる。このようにすることにより、読影者に対して、異常陰影候補の経時的変化に関する情報をより詳細なレベルで視覚化することが可能になり、さらなる診断効率の向上に資する。
【００４２】
なお、上記の実施形態では、本発明を診断用ワークステーションに実装しているが、画像処理サーバと画像ビューワがネットワークによって接続されている分散システム環境に実装することも可能であり、例えば、異常陰影候補検出部１を画像処理サーバに実装し、画像出力部２を画像ビューワに実装することや、異常陰影候補検出部１と、画像出力部２の画像出力手段２３がマーカーを付した画像Ｐ′[2]を生成するところまでを画像処理サーバに実装し、画像ビューワは生成された画像Ｐ′[2]を出力するだけの処理を行うようにすることが考えられる。
【図面の簡単な説明】
【００４３】
【図１】本発明の実施形態となる画像診断支援システムの論理的構成とデータの流れを示すブロック図
【図２】異常陰影候補検出部の概略構成図
【図３】画像出力部の概略構成図
【図４】異常陰影候補検出部における処理フローを示す図
【図５】胸部Ｘ線画像を示す図
【図６】胸部Ｘ線画像において認識された肺野部内の各部を示す図
【図７】重み付け係数マップの一例を示す図
【図８】（ａ）画像Ｐ[1]から異常陰影候補を検出した結果を表す模式図、（ｂ）画像Ｐ[2]から各々異常陰影候補を検出した結果を表す模式図、（ｃ）診断用ワークステーションに実際に表示される画像Ｐ[2]′を表す模式図
【符号の説明】
【００４４】
１  異常陰影候補検出部
２  画像出力部
１１  候補抽出手段
１２  特徴量算出手段
１３  解剖学的情報取得手段
１４  重み付け係数マップ作成手段
１５  重み付け演算手段
１６  悪性度算出手段
２１  対応づけ手段
２２  変化量算出手段
２３  画像出力手段
【図１】
2006255065.tif 000006
【図２】
2006255065.tif 000007
【図３】
2006255065.tif 000008
【図４】
2006255065.tif 000009
【図５】
2006255065.tif 000010
【図６】
2006255065.tif 000011
【図８】
2006255065.tif 000012
【図７】
2006255065.tif 000013